(57)【特許請求の範囲】
【請求項１】
カップ内に収納された保存製品を収容するための有孔コンパクト本体および蓋体を具備するコンパクトにおいて、カップ(５、２５、４５、５５、６５)に固定された封止継手(６、２６、４６、５６、６６、８６、９６)であって、コンパクト本体(２)を封止状態で押圧する封止継手を具有し、該封止継手が該コンパクト本体を完全には押圧しないために該封止継手の屈曲が可能となること、および該封止継手が、メッシュ(１３)をカップ上に装着させる機能を果たす比較的硬質なプラスチック製リング(１１、３１、４９)に固定されたことを特徴とするコンパクト。
【請求項２】
封止継手(６、５６)がカップの底部(１０、５９)と同一材料で単一部材として形成された請求項１記載のコンパクト。
【請求項３】
封止継手が、カップが収容されたコンパクト本体(２)内のハウジング(４)の壁部を摩擦力を伴って押圧するスカート(９、４８、５８)を具有する請求項１または２記載のコンパクト。
【請求項４】
スカート(９)がその周縁部の周囲に配設された軸方向リブ(２０)を有する請求項３記載のコンパクト。
【請求項５】
封止継手(４６、５６)がハウジング(４)の壁部を封止状態で押圧する請求項１から４いずれかに記載のコンパクト。
【請求項６】
メッシュ(１３)の周囲のリング上に形成された環状面が除去可能な閉鎖シートを装着させる機能を果たす請求項１記載のコンパクト。
【請求項７】
封止継手がリング(１１、４９)上にオーバーモールドされた請求項６記載のコンパクト。
【請求項８】
蓋体(３)が閉鎖状態において封止継手を封止状態で押圧する請求項１から７いずれかに記載のコンパクト。
【請求項９】
封止継手が可撓性環状リップ(７、２７、４７、５７、７２)を有する請求項１から８いずれかに記載のコンパクト。
【請求項１０】
封止継手が、コンパクト本体を封止状態で押圧するヒール(８)を可撓性リップの基底部に有する請求項９記載のコンパクト。
【請求項１１】
可撓性リップ(２７)がコンパクト本体を封止状態で押圧する請求項９または１０記載のコンパクト。
【請求項１２】
可撓性リップ(２７)がその周縁部において、コンパクトの開放時においてもコンパクト本体を封止状態で押圧する請求項１１記載のコンパクト。
【請求項１３】
可撓性リップ(７２)がコンパクト本体から突出する環状リブ(７４、８０)を封止状態で押圧する請求項９から１２いずれかに記載のコンパクト。
【請求項１４】
蓋体が、コンパクトが閉鎖状態のときに可撓性リップを押圧するコンパクト本体の環状リブ(７４、８０)の直径よりも大きな直径を有する環状リブ(８１)を具有する請求項１３記載のコンパクト。
【請求項１５】
蓋体がコンパクトの閉鎖状態のときに可撓性リップ(７２)の自由端を実質上圧縮することなく該リップを押圧する請求項１から１４いずれかに記載のコンパクト。
【請求項１６】
蓋体が、コンパクト本体から突出する環状リブ(８０)の直径よりもそれぞれ小さい直径および大きい直径を有する２つの同心環状リブ(８１、８２)を具有し、該リブがコンパクト本体の環状リブ(８０)の各々の側部上の可撓性リップ(７２)を押圧する請求項１３記載のコンパクト。
【請求項１７】
蓋体が閉鎖状態のときにその周縁部(８３)を介して可撓性リップ(７２)を押圧する請求項９から１６いずれかに記載のコンパクト。
【請求項１８】
封止継手(８６)が断面の全体形態が逆Ｕ字形の周縁部を有し、該周縁部の２つのアーム(８７、８８)がコンパクト本体の溝(９０)内に収容されると共に外方向へ凸状の湾曲部(８９)によって接続された請求項１から１７いずれかに記載のコンパクト。
【請求項１９】
蓋体が突出部材(９１)を具有し、該部材がその下部端を介して該湾曲部(８９)を押圧する請求項１８記載のコンパクト。
【請求項２０】
突出部材（９１）が封止継手である請求項１９記載のコンパクト。
【請求項２１】
封止継手(９６)が断面形態が波状の周縁部を有し、該周縁部が下部リッジ(９９)を介してコンパクト本体を押圧する請求項１から２０いずれかに記載のコンパクト。
【請求項２２】
封止継手がコンパクト本体に面した２つの環状溝を形成し、これらの環状溝がコンパクトの閉鎖時に蓋体に面した中央溝(９７)の各々の側部に位置し、該封止継手がコンパクト本体に面した該環状溝の底部において該封止継手と一体成形された止り(１０２、１０３)を有し、該止りがコンパクト本体を支持する請求項２１記載のコンパクト。
【請求項２３】
蓋体が、コンパクトの閉鎖時に中央溝(９７)と嵌合する環状リブ(９８)を有する請求項２２記載のコンパクト。
【請求項２４】
封止継手が、全断面形態がコンパクト本体の方向に対して凹状の周縁部を具有し、１個または複数個の補剛部材(１１０、１１１、１１２、１１５)が該周縁部の凹状形態の内側に配設された請求項１から２３いずれかに記載のコンパクト。
【請求項２５】
封止継手が半径方向に延びて該封止継手の止りと一体成形された複数の補剛部材(１１０、１１１、１１２)を具有する請求項２４記載のコンパクト。
【請求項２６】
封止継手が、周縁部の全高さを越えて延びた連続的または不連続的な環状リブ(１１５)の形態を有する補剛部材を具有する請求項２４記載のコンパクト。
【請求項２７】
蓋体およびコンパクト本体の一方が少なくとも１個のインゲンマメ形スロット(２０１)を具有し、蓋体およびコンパクト本体の他方が該スロットと嵌合するヒンジピン(２００)を具有し、該スロットと該ヒンジピンが、蓋体が閉鎖したときにヒンジピンがスロット内を移動して蓋体が封止継手を実質上均一に押圧するように配設された請求項１から２６いずれかに記載のコンパクト。
【発明の詳細な説明】
【０００１】
【発明の属する技術分野】
この発明はカップ内に収納された保存製品を収容する有孔コンパクト本体と蓋体を具有するメーキャップ用コンパクトに関する。
【０００２】
【従来技術】
この種のコンパクトは、例えば、カップの底部を単に押し込むだけでカップを抜き取って別のカップと取り替えることができるという利点を有する。
また、該コンパクトは可撓性底部を有するカップの利用も可能にするので、必要に応じて、カップの底部に圧力を加えてカップ内の製品を押し上げることによって該製品を容易に取り出すことができる。
【０００３】
カップ内の製品は揮発性溶剤を含有していてもよいが、コンパクトは蓋体を閉じたときに該溶剤の蒸発を防止するような構造を有していなければならない。さもなければ、該製品を十分な状態で保存することができないからである。
溶剤が不存在の場合、例えば、粉状製品の場合には、封止閉鎖を確実におこなうことができるので、製品が漏出するのを防止できるという利点もある。
【０００４】
ヨーロッパ特許出願ＥＰ−Ａ−７９０，０１７号明細書には、周縁部に封止継手として作用するロールを有するパフを用いて蓋体を閉じたときに封止される構造を有するコンパクトが提案されている。
【０００５】
【発明が解決しようとする課題】
しかしながら、この解決策は十分に満足すべきものではなく、コンパクトの封止閉鎖機構をさらに改良すべき必要がある。
【０００６】
【課題を解決するための手段】
この発明の対象は、カップ内に収納された保存製品を収容する有孔コンパクト本体と蓋体を具有するタイプのコンパクトであって、カップに封止状態で固定されて該コンパクト本体を封止状態で押圧する封止継手を具有することを特徴とするコンパクトである。
従って、蓋体を閉じたときに、カップが嵌合したコンパクト本体の孔を通して溶剤または製品がコンパクトから漏出するのを防止することができる。
【０００７】
【発明の実施の形態】
特定の態様においては、封止継手はカップの底部と一体となった単一部材として同一材料から製造される。
従って、コンパクトを閉鎖したときにカップ内に存在する製品が非常に良好に保存されることが保証される。
【０００８】
特定の態様においては、封止継手はカップが収容されたコンパクト本体のハウジング壁部を摩擦力を伴って押圧するスカートを具有する。
封止継手を形成する材料の弾性はカップを適所に保持する役割の一部を担うので有利であり、また、取付け時のクリアランスの発生を可能とするか、あるいはコンパクト本体およびカップの製造許容範囲をより広いものとする。
上記のスカートはその周縁部に配設された軸方向リブを有するのが有利である。これらのリブはコンパクトのハウジング壁部を押圧してカップを保持する。
【０００９】
特定の態様においては、封止継手は、カップを収容するコンパクト本体のハウジング壁部を封止状態で押圧する。
【００１０】
特定の態様においては、封止継手はカップ上のメッシュの取付部材として機能する硬質プラスチック製リングに固定される。
このメッシュの周縁部は硬質プラスチック製リングに溶接するのが有利である。
メッシュの周囲のリングには環状表面を形成させ、該環状表面を除去可能な閉鎖シートの取付けに利用するのが有利である。
封止継手は該リング上にオーバーモールド(overmould)させるのが有利である。
【００１１】
特定の態様においては、封止継手は可撓性リップを有する。
封止継手は、コンパクト本体を封止状態で押圧するヒールを可撓性リップの基底部に具有していてもよい。
該可撓性リップはコンパクト本体を封止状態で押圧してもよい。
コンパクトの開放時においてもこのような状態が維持される場合には、カップがコンパクト本体内に取付けられたときの封止状態は改善され、また、使用時に製品がカップとコンパクト本体の間へ流入してコンパクトの外観を損なう事態は回避される。
汚れの堆積は回避され、コンパクト本体の表面の清掃は容易になる。
【００１２】
１つの特定の態様においては、可撓性リップは、コンパクト本体から突出する環状リブを封止状態で押圧する。
この環状リブは、一方では、コンパクト本体内へのカップの取付け部を封止する役割の一部を担い、他方では、ヒンジ形成領域の周囲における封止リップの変形を助長する。
従って、封止継手の一部は蓋体の開閉状態にかかわらず実質上同じ形態を保持するが、封止リップの残余部分はコンパクトがヒンジ形成領域によって閉鎖されるときには屈曲可能である。
【００１３】
特定の態様においては、蓋体はコンパクト本体の環状リブよりも大きな直径を有する環状リブを具有し、該環状リブはコンパクトが閉鎖状態にあるときには可撓性リップを押圧する。
【００１４】
別の態様においては、閉鎖状態の蓋体はその周縁部を介して封止継手の可撓性リップを押圧してもよい。
従って、封止継手はコンパクト本体内におけるカップの取付部を封止する役割の一部を担うだけでなく、蓋体が閉鎖したときにコンパクトを封止する。
【００１５】
特定の態様においては、蓋体はその自由端を実質上圧縮することなく可撓性リップを押圧する。
従って、封止リップが蓋体によって過度に圧縮される危険性を少なくすることができ、また、長期間の保存の場合にはその初期形態のメモリーを失う危険性も少なくなる。
【００１６】
特定の態様においては、蓋体はコンパクト本体から突出する環状リブの直径よりも小さな直径または大きな直径を有する同心環状リブを具有し、該リブはコンパクト本体リブの各々の側部において可撓性リップを押圧する。
【００１７】
特定の態様においては、封止継手は全体が逆Ｕ字形の形態を有する周縁部を具有し、該周縁部はコンパクト本体の溝内に収容された２つのアームを有しており、該アームは外側へ凸状の湾曲部によって連結される。
【００１８】
特定の態様においては、蓋体は突出部材(好ましくは、封止継手)を有しており、該突出部材はその下部端を介して該湾曲部を押圧する。
【００１９】
特定の態様においては、封止継手は断面が波形の周縁部を有しており、該周縁部はその下部リッジを介してコンパクト本体を封止状態で押圧する。
【００２０】
特定の態様においては、封止継手はコンパクト本体の方向へ面した２つの溝を形成しており、該溝は、コンパクトの閉鎖時に蓋体の方向へ面した中央溝の各々の側部上に位置し、また、該封止継手はコンパクト本体の方向へ面した２つの該溝底部において該封止継手と一体成形された止り(rest)を有しており、該止りはコンパクト本体と接触して位置する。
【００２１】
特定の態様においては、蓋体はコンパクトが閉鎖したときに該中央溝と嵌合する環状リブを有する。
【００２２】
特定の態様においては、封止継手は、コンパクト本体に対して凹状断面形態を有する周縁部を具有し、この凹状部分の内側には１個もしくは複数個の補剛部材が配設される。
【００２３】
特定の態様においては、封止継手は、半径方向へ延びて該封止継手の止りと一体成形された相当数の補剛部材を具有する。
【００２４】
別の態様においては、封止継手は連続的または不連続的な環状リブ形態の補剛部材を具有し、該補剛部材は断面が凹状形態の封止継手の周縁部の全高さを越えて延びる。
【００２５】
本発明の別の対象はコンパクトであって、該コンパクトは次の特徴を有する。即ち、蓋体およびコンパクト本体の一方が少なくとも１個のインゲンマメ形スロットを具有し、蓋体およびコンパクト本体の他方が該スロットと嵌合するヒンジピンを具有し、該スロットと該ヒンジピンは、蓋体が閉鎖したときにヒンジピンがスロット内を移動して蓋体が封止継手を実質上均一に押圧するように配設される。
【００２６】
本発明のさらに別の対象はコンパクト本体と蓋体を具有するタイプのメーキャップ用コンパクトの封止継手であって、前記特徴を有する封止継手である。
【００２７】
本発明のその他の特徴と利点は本発明の非制限的な態様に係る以下の詳細な説明と添付図によって明らかにする。
図１は本発明の第１態様によるメーキャップ用コンパクトの模式的断面図である。
図２は図１の切断線II−IIに沿った模式的な部分断面図である。
図３は本発明の第２態様によるメーキャップ用コンパクトの模式的断面図である。
図４は本発明の第３態様によるメーキャップ用コンパクトの模式的断面図である。
図５は本発明の第４態様によるメーキャップ用コンパクトの模式的断面図である。
図６は本発明の第５態様によるメーキャップ用コンパクトの模式的断面図である。
図７は図６に示す第５態様によるコンパクトの詳細な部分的断面図である。
図８〜図２２は蓋体を用いる種々の封止法を示す部分的模式図である。
図２３〜図２５は蓋体とコンパクト本体とを嵌合させるヒンジの特定の態様を示す模式的側面図である。
【００２８】
図１はコンパクト本体(２)および該本体と嵌合する蓋体(３)を具有するメーキャップ用コンパクト(１)を示す。コンパクト本体(２)は中央部に孔を有しており、該孔は、保存製品(Ｐ)を保有するカップ(５)を収容する円筒状ハウジング(４)を形成する。
カップ(５)はコンパクト本体(２)への取付け部を封止する封止継手(６)を具有する。
【００２９】
図示する態様においては、封止継手(６)は断面がほぼ半円形の可撓性環状リップ(７)を有しており、該リップの凹面はコンパクト本体(２)に面する。
可撓性リップ(７)はヒール(８)と接続し、該ヒールはスカート(９)を介して下方へ延びてカップの底部(１０)と接続する。
【００３０】
図示する態様においては、可撓性リップ(７)、ヒール(８)、スカート(９)および底部(１０)はエラストマー製の単一部材として形成され、また、ヒール(８)とスカート(９)は比較的硬質なプラスチック製リング(１１)上にオーバーモールドされる。
このリング(１１)は全体が円筒状の本体を有しており、該リングの上部端には半径方向の外側へ延びたリム(１２)が形成され、該リムはヒール(８)上に載置されてメッシュ(１３)の取付部として機能する。該メッシュの周縁部はリム(１２)に溶接される。
【００３１】
カップ(５)は、底部(１０)の内部面からの突起として形成された環状リブ(１４)によって支持された発泡体ブロック(１６)を具有する。
発泡体ブロック(１６)はリング(１１)の内径に適合するように調整された直径を有しており、該ブロックはユーザーが底部(１０)を押圧したときにピストンに類似した作用をして製品(Ｐ)をメッシュ(１３)を通して押し出す。
【００３２】
図１に示す態様においては、可撓性リップ(７)の自由端(１８)はコンパクト本体(２)の上部面(１７)から近い距離のところまで延びており、コンパクト本体(２)内のカップ(５)の取付部はコンパクト本体(２)を封止状態で押圧するヒール(８)によって封止される。
蓋体(３)は、そのエッジ(１９)がコンパクトの閉鎖時に可撓性リップ(７)を封止状態で押圧するように設計されており、該リップはコンパクト本体に対して圧縮されることなく下方へ幾分屈曲する。
【００３３】
スカート(９)は、図２に示すように、その周縁部に軸方向リブ(２０)を有しており、該リブは、カップがコンパクト本体内に摩擦力を伴って保持されるコンパクト本体またはカップに比較的広い製造許容範囲がもたらされることを保証する。
【００３４】
図示されていない別の態様においては、メッシュ(１３)の周囲のリム(１２)には環状表面が形成され、該環状表面は、除去可能な封止クロージャーを例えば熱溶接によって装着するための取付部として機能する。該封止クロージャーは、カップがコンパクト本体内へ装着された後の最初の使用時に除去される。
【００３５】
以下の説明においては、同一または類似の要素を示すときには同じ参照符号を使用し、該要素についてはさらに詳述しない。
【００３６】
図３に示すコンパクトと図１に示すコンパクトの相違点は、ハウジング(４)内に収容されたカップ(２５)の構造にある。
カツプ(２５)は、スカート(２８)に接続する可撓性の環状リップ(２７)を有する封止継手(２６)を支持する。
リップ(２７)とスカート(２８)はエラストマー製の単一部材として形成されており、また、スカート(２８)はさらに比較的硬質なプラスチック製のリング(２９)の内部面上にオーバーモールドされる。
【００３７】
このリング(２９)はコンパクト本体(２)のハウジング(４)内に圧力嵌合されており、その下部端は半径方向の内側に向いた環状リム(３０)を有する。
第１のリングと同じ材料から形成されていてもよい第２のリング(３１)はスカート(２８)の内側へ挿入され、その上部端はメッシュ(１３)の取付部として機能するリム(３２)を有する。
可撓性の底部(３４)はその周縁部を介して、例えば、オーバーモールドによってリム(３０)の下部面に固定される。
【００３８】
リング(３１)の下部端はリム(３０)を押圧する。
断面が実質上半円形の可撓性リップ(２７)はその自由エッジ(３６)を介してコンパクト本体(２)の上部面(１７)を押圧するので、カップ(２５)はコンパクト内に封止状態で装着される。
蓋体(３)はコンパクトの閉鎖時にはそのエッジ(１９)を介して可撓性リップ(２７)を押圧する。
【００３９】
図４に示すコンパクトと前述のコンパクトとの相違点はカップ(４５)の構造にある。
このカップ(４５)はスカート(４８)に接続する環状リップ(４７)を有する封止継手(４６)を支持し、該スカートはハウジング(４)の壁部を押圧するので、該カップを封止状態で装着して摩擦力によってコンパクト本体(２)内に保持することができる。
【００４０】
可撓性リップ(４７)とスカート(４８)はエラストマー製の単一部材として形成されており、また、該スカート(４８)はさらに比較的硬質なプラスチック製のリング(４９)上にオーバーモールドされていてその上部端にはリム(５０)が配設されており、該リムは半径方向の内側へ延びてメッシュ(１３)の取付部として機能する。
第１のリングと同じ材料から形成された第２のリング(５２)は第１のリングと圧力嵌合し、その上部端においてリム(５０)を支持する。
可撓性底部(５３)はこのリング(５２)の下部端に固定される。
【００４１】
図５に示すコンパクトはカップ(５５)を具有する。
このカップ(５５)は、該カップの底部(５９)とスカート(５８)と単一部材として形成された可撓性の環状リップ(５７)を有する封止継手(５６)を具有する。
スカート(５８)はハウジング(４)の壁部を封止状態で押圧する。
【００４２】
該スカートは、比較的硬質なプラスチック製のリングであってその下部端に半径方向の内側に向いたリム(６１)を有するリング(６０)にオーバーモールドされ、その下部面上には底部(５９)の周縁部が固定される。
比較的硬質なプラスチック製の第２のリング(６２)は第１のリング内に圧力嵌合され、その上部端には、半径方向の外側へ向かって延びてメッシュ(１３)の取付部として機能するリム(６４)を有する。
【００４３】
図６はカップ(６５)のさらに別の態様を示す。
カップ(６５)は、比較的硬質なブラスチックを用いてカップ本体(６７)と一体的に形成された封止継手(６６)を具有する。
コンパクト本体(２)内のハウジング(４)はカップ本体(６７)にスナップ止めされる隆起部(６８)を有する
【００４４】
カップ本体(６７)の底部は可撓性プラスチック製、例えばエラストマー製の底部(６９)に接続する。
ピストン(７０)はカップ本体(６７)の内部において製品(Ｐ)の下方に装着される。
発泡体ブロック(７１)がメッシュ(１３)と製品(Ｐ)の間に挿入されるので、該製品の小出しはより均一におこなわれる。
【００４５】
図７〜図１５はコンパクト本体(２)内のカップの取付部の封止法および蓋体を閉鎖したときのコンパクトの封止法の種々の態様を示す。
【００４６】
図７に示す態様においては、封止継手は断面が一般に半円形の環状リップ(７２)を具有しており、該リップの下降部(７３)は、コンパクト本体(２)の上部面からの突起として形成された環状リブ(７４)を押圧する。
このリブ(７４)の周囲には環状溝(７５)が形成される。
蓋体は環状リブ(７９)を有しており、該リブは、図７に示すように、コンパクトの閉鎖時に下降部(７３)を封止状態で押圧する。
また、図７から明らかなように、蓋体の自由端(７６)は、溝(７５)が存在するために、圧縮されない。
【００４７】
図８に示す別の態様においては、封止リップ(７２)はコンパクト本体から突出した環状リブ(８０)を押圧し、また、蓋体はリブ(８０)の直径よりも大きな直径または小さな直径を有する２つの環状リブ(８１)および(８２)を具有しており、これらのリブは蓋体が閉鎖したときにリップ(７２)を封止状態で押圧する。
【００４８】
コンパクトの閉鎖時にリップ(７２)がリブ(８０)を押圧することによってコンパクト本体内のカップの取付部が封止され、またリブ(８１)および(８２)がリップ(７２)を押圧することによって蓋体の閉鎖部が封止される。
【００４９】
図９に示す別の態様においては、リブ(８１)は蓋体のエッジ(８３)によって置き替えられており、該エッジは、図示するように、封止リップの自由端(７６)を押圧するので有利である。
【００５０】
図１０に示す態様においては、封止継手(８６)は全断面形態が逆Ｕ字形の周縁部を有しており、該周縁部は外側に丸みを帯びた凸状部(８９)によって接続された２つのアーム(８７)および(８８)を有する。
２つのアーム(８７)および(８８)はコンパクト本体(２)の溝(９０)内に収容され、コンパクト本体内へのカップの取付部を封止する。
【００５１】
蓋体は、例えば、図１１に示すような封止継手から成る突出部材(９１)を有していてもよく、該突出部材は凸状部を封止状態で押圧してコンパクトの閉鎖部を封止する。
【００５２】
アーム(８７)は、図１２に示すように、アーム(８８)よりも幾分短い別の形態を有していてもよく、このような形態を採用することによって蓋体の閉鎖時の封止継手の変形度合をより大きくすることができる。
【００５３】
図１３〜図１５に示す別の態様においては、封止継手(９６)は図１４に個別に示すように、断面が波状であって中央環状溝(９７)を形成する周縁部を有しており、コンパクトの閉鎖時には蓋体のリブ(９８)は該環状溝と嵌合する。
従って、封止継手(９６)はその下部リッジ(９９)を介してコンパクト本体を押圧してカップの取付部を封止する。
【００５４】
封止継手(９６)はコンパクト本体の方へ開放した環状溝を形成しており、該環状溝は図１５に示すような不連続な補剛リブ(１０２)および(１０３)を有する。
これらの補剛リブ(１０２)および(１０３)は図１３に示すように、コンパクト本体(２)を押圧する。
溝(１０４)は補剛リブ(１０２)および(１０３)が載置された領域の間に形成され、該溝にはリッジ(９９)が収容される。
【００５５】
全体的な断面形態がコンパクト本体の方向へ対して凹状の周縁部が封止継手を具有する場合には、図１６に示すように、該封止継手の内部面上に補剛ウェブ(１１０)を形成させることができ、該ウェブは封止継手を押圧する蓋体によるコンパクトの閉鎖時に蓋体が封止されることに利用してもよい。
【００５６】
補剛ウェブ(１１０)は、図１６に示すように封止継手の凹状部の幅全体にわたって延びていてもよく、あるいは、図１７または図１８に示すように該幅の一部にわたって延びていてもよい。
【００５７】
図１７に示す態様においては、補剛ウェブ(１１１)の半径方向の最外端は切頭形態を有するので、封止継手の自由端ではある程度の可撓性が発揮される。
【００５８】
図１８に示す態様においては、補剛ウェブ(１１２)は三角形に切り取った形態の中央凹部(１１３)を有するので、該三角形の頂点に位置するヒンジ領域の周囲においては封止継手はある程度の変形性を発揮する。
【００５９】
封止継手周縁部の凹部の内部に位置する補剛部材は図１９に示すように連続的または不連続的な環状リブ(１１５)の形態を有していてもよい。
【００６０】
図２０に示すように、蓋体に半径方向の最外端へ向かう下降部(１１６)上のエッジおよび封止継手のクラウン上の環状リブ(１１７)を介して封止継手を押圧する。
【００６１】
あるいは、図２１に示すように、蓋体のエッジは封止継手の半径方向の最外部を押圧し該最外部はコンパクト本体とは接触せずに下方へ屈曲する。
【００６２】
図２２は、例えば、図１６に示すような周縁部を有す封止継手を支持するカップを収容するハウジングを有するコンパクト本体を具有するメーキャップ用コンパクトを示す。
蓋体は、コンパクトの閉鎖時に封止継手を押圧する環状リブ(１１３)を有しており、該環状リブ(１１３)は発泡体パッド(１１４)を包囲する。該発泡体パッドはメッシュ(１３)と接触してコンパクト閉鎖時の製品の表面を滑らかにする。
コンパクト本体はさらに自体既知のアプリケーター部材(Ｅ)を収容するための第２のハウジングを具有する。
【００６３】
図２３〜図２５は、コンパクト本体の種類にかかわらず該コンパクト本体へ蓋体を接合させるヒンジを形成させる好適な方法を例示する。
【００６４】
コンパクト本体(２)に固定されたピン(２００)を使用するのが好ましく、該ピンの端部はコンパクト本体から突出して蓋体に対するピボットとして作用する。
より特殊な場合には、該端部は蓋体(３)内に配設されたインゲンマメ形のスロット(２０１)と嵌合し、該スロット(２０１)は、一般に蓋体面に対して一般に直角状に延びた両側板(２０４)に形成される。
クラスプ(clasp)(２０５)はヒンジの反対側に配設されるので、蓋体は自体既知の方法によって閉鎖状態を保持する。
【００６５】
図２３に示すように、コンパクトを開放すると、ピン(２００)の端部は、蓋体の上部に最近接したスロット(２０１)の端部(２０２)の近くに位置する。ピン(２００)は、図２４に示すように、蓋体が封止継手を押圧しないかぎり、蓋体の閉鎖過程中はスロットに対して相対的に同じ状態を維持する。
【００６６】
封止継手は前述の封止継手のいずれであってもよい。
蓋体が封止継手を押圧すると、ピン(２００)がスロット(２０１)内において蓋体の上部から最も離れた端部の方向へ摺動することに随伴して蓋体が回転するので、蓋体は封止継手を実質上均一に押圧する。
【００６７】
もちろん、本発明は上述の態様に限定されない。
特に、蓋体とコンパクト本体の接合およびカップの取付部の封止は本発明の範囲を逸脱することなくその他の方法によっておこなってもよい。
【図面の簡単な説明】
【図１】本発明の第１態様によるメーキャップ用コンパクトの模式的断面図である。
【図２】図１の切断線II−IIに沿った模式的な部分断面図である。
【図３】本発明の第２態様によるメーキャップ用コンパクトの模式的断面図である。
【図４】本発明の第３態様によるメーキャップ用コンパクトの模式的断面図である。
【図５】本発明の第４態様によるメーキャップ用コンパクトの模式的断面図である。
【図６】本発明の第５態様によるメーキャップ用コンパクトの模式的断面図である。
【図７】図６に示す第５態様によるコンパクトの詳細な部分的断面図である。
【図８】〜【図２２】蓋体を用いる種々の封止法を示す部分的模式図である。
【図２３】〜【図２４】蓋体とコンパクト本体とを嵌合させるヒンジの特定の態様を示す模式的側面図である。
【符号の説明】
１      メーキャップ用コンパクト
２      コンパクト本体
３      蓋体
４      ハウジング
５      カップ
６      封止継手
７      可撓性環状リップ
１１    リング
１３    メッシュ
２５    カップ
２６    封止継手
３１    リング
４５    カップ
４６    封止継手
４９    リング
５５    カップ
５６    封止継手
６５    カップ
６６    封止継手
８６    封止継手
９６    封止継手
【図１】
0003803388.tif 000002
【図２】
0003803388.tif 000003
【図３】
0003803388.tif 000004
【図４】
0003803388.tif 000005
【図５】
0003803388.tif 000006
【図６】
0003803388.tif 000007
【図７】
0003803388.tif 000008
【図８】
0003803388.tif 000009
【図９】
0003803388.tif 000010
【図１０】
0003803388.tif 000011
【図１１】
0003803388.tif 000012
【図１２】
0003803388.tif 000013
【図１３】
0003803388.tif 000014
【図１４】
0003803388.tif 000015
【図１５】
0003803388.tif 000016
【図１６】
0003803388.tif 000017
【図１７】
0003803388.tif 000018
【図１８】
0003803388.tif 000019
【図２２】
0003803388.tif 000020
【図１９】
0003803388.tif 000021
【図２０】
0003803388.tif 000022
【図２１】
0003803388.tif 000023
【図２３】
0003803388.tif 000024
【図２４】
0003803388.tif 000025
【図２５】
0003803388.tif 000026